(57)【要約】【課題】医用画像上に計測の根拠となる計測線を提示しつつ、スムーズに他の読影目的のための画像表示に移行する。【解決手段】読影端末では、読影対象の医用画像を表示部に表示させ、表示部に表示された医用画像上に計測線を表示させ、当該計測線の位置に基づいて計測値を算出する。計測線の位置の指定は、自動でもよいし、手動でもよい。医用画像上に計測線が表示されてからの時間をタイマーでカウントし（ステップＳ１７）、所定時間が経過した後に（ステップＳ１８；ＹＥＳ）、計測線を非表示とする（ステップＳ１９）。その後、計測線の再表示操作があった場合には（ステップＳ２０；ＹＥＳ）、医用画像上に計測線を再表示させる（ステップＳ２２）。【選択図】図６
2019150263.tif 000002
【特許請求の範囲】
【請求項１】
表示手段に表示された医用画像上に計測線を表示させる表示制御手段と、
当該計測線の位置に基づいて計測値を算出する計測手段と、
を備える画像処理装置であって、
前記表示制御手段は、前記医用画像上に前記計測線が表示されてから所定時間が経過した後に、当該計測線を非表示とする画像処理装置。
【請求項２】
ユーザーによる所定の操作を受け付ける操作手段を備え、
前記表示制御手段は、前記計測線が非表示とされている状態で、前記操作手段から前記所定の操作を受け付けた場合に、前記計測線を再表示させる請求項１に記載の画像処理装置。
【請求項３】
前記表示制御手段は、さらに、前記計測値を前記表示手段に表示させ、
前記所定の操作は、前記表示手段に表示された計測値に対するクリック操作又はマウスオーバー操作である請求項２に記載の画像処理装置。
【請求項４】
前記表示制御手段は、前記医用画像に対して算出された計測値又は前記医用画像に係る患者に関する情報に応じて、前記計測線を非表示とするか否か、又は、前記計測線を非表示とするまでの前記所定時間を変更する請求項１から３のいずれか一項に記載の画像処理装置。
【請求項５】
前記表示制御手段は、前記計測値が所定の範囲内である場合に、前記表示手段に警告を表示させる請求項１から４のいずれか一項に記載の画像処理装置。
【請求項６】
前記警告の表示は、警告メッセージの表示である請求項５に記載の画像処理装置。
【請求項７】
前記表示制御手段は、さらに、前記計測値を前記表示手段に表示させ、
前記警告の表示は、前記表示手段に表示された計測線又は計測値の色の変更である請求項５に記載の画像処理装置。
【請求項８】
前記医用画像は、胸部画像であり、
前記計測値は、心胸郭比である請求項１から７のいずれか一項に記載の画像処理装置。
【請求項９】
コンピューターを、
表示手段に表示された医用画像上に計測線を表示させる手段、
当該計測線の位置に基づいて計測値を算出する手段、
前記医用画像上に前記計測線が表示されてから所定時間が経過した後に、当該計測線を非表示とする手段、
として機能させるためのプログラム。
【発明の詳細な説明】
【技術分野】
【０００１】
本発明は、画像処理装置及びプログラムに関する。
【背景技術】
【０００２】
近年、医療分野においてもデジタル化が進み、病院内で生成された医用画像は、デジタル画像としてＰＡＣＳ（Picture Archiving and Communication System）に保存されている。医師が医用画像をモニター画面上に表示して読影する際、この画面上で診断に用いる数値を計測するための補助線（以下、計測線という。）の位置を指定すると、医用画像上に計測線が描画され、距離や角度等の計測値が算出される。
【０００３】
透析治療や健康診断等で胸部Ｘ線画像を撮影した際には、心臓や肺等を中心に、各病気の有無を総合的に判断する。具体的には、心胸郭比を算出して心肥大がないかを判断した後、肺野の陰影を見る等、一つの画像に対して複数の工程を経て診断を行っている。
透析患者に対しては、胸部画像から求めた心胸郭比を参考にドライウェイト（目標体重）を決定するが、単に心胸郭比や胸水の有無をチェックするだけでなく、石灰化や空洞性病変、結節性病変、炎症性変化等、その他合併症の有無を含めて、画像を確認することが必要である。
健康診断では、病気ではなくとも心臓や肺の形や位置、影の様子が正常とは異なる場合、その状態を所見として健康診断結果に記載する。
【０００４】
心胸郭比は、胸部画像上の心臓と肺野の幅を比較して求めるため、各幅を計測線で指定する必要がある。したがって、特に、健康診断等で大量の画像を確認する際には、簡易な方法で計測を行うことが望まれる。
【０００５】
そのため、計測線の位置を手動で指定することに代えて、自動的に画像内の構造物を認識し、対象となる計測値を算出する自動計測も可能となっている。自動計測機能の一つである自動心胸郭比計測機能は、アルゴリズムによって心臓と胸郭を認識し、計測値として心胸郭比を算出する機能である。
【０００６】
例えば、胸部画像から心臓領域及び胸郭領域を検出し、検出された心臓領域及び胸郭領域に基づいて心臓の幅と胸郭の幅を示す計測線の位置を算出し、計測線の位置に基づいて計測値（心胸郭比）を算出し、胸部画像を表示させるとともに、胸部画像上に計測線及び計測値を表示させる技術が開示されている（特許文献１参照）。このように、画像を解析して自動で心胸郭比を求めることで、計測線入力の手間が軽減される。
【先行技術文献】
【特許文献】
【０００７】
【特許文献１】特開２０１０−２３８０４０号公報
【発明の概要】
【発明が解決しようとする課題】
【０００８】
しかし、医用画像に対して計測を行った場合、医用画像上の計測線で隠された部分を観察読影することは困難であった。
例えば、心胸郭比を計測した場合、胸部画像上に計測線が表示されるため、計測線の存在が、胸部画像内の肺野の陰影等、他の部分を確認する際の邪魔となるおそれがあった。
従来の医用画像のビューアー画面においても、医用画像上の計測線を一時的に手動で非表示とすることはできるが、非表示を指示するための操作が必要であり、手間がかかる。
【０００９】
なお、自動計測の場合でも、医用画像から対象部位を抽出し、計測線の位置を自動的に算出する処理に、１００％の精度を求めるのは難しいため、計測の根拠となる計測線の目視確認は重要であり、医用画像上に計測線を一度も表示させずに計測を終了することは現実的ではない。
【００１０】
本発明は、上記の従来技術における問題に鑑みてなされたものであって、医用画像上に計測の根拠となる計測線を提示しつつ、スムーズに他の読影目的のための画像表示に移行することを課題とする。
【課題を解決するための手段】
【００１１】
上記課題を解決するために、請求項１に記載の発明は、表示手段に表示された医用画像上に計測線を表示させる表示制御手段と、当該計測線の位置に基づいて計測値を算出する計測手段と、を備える画像処理装置であって、前記表示制御手段は、前記医用画像上に前記計測線が表示されてから所定時間が経過した後に、当該計測線を非表示とする。
【００１２】
請求項２に記載の発明は、請求項１に記載の画像処理装置において、ユーザーによる所定の操作を受け付ける操作手段を備え、前記表示制御手段は、前記計測線が非表示とされている状態で、前記操作手段から前記所定の操作を受け付けた場合に、前記計測線を再表示させる。
【００１３】
請求項３に記載の発明は、請求項２に記載の画像処理装置において、前記表示制御手段は、さらに、前記計測値を前記表示手段に表示させ、前記所定の操作は、前記表示手段に表示された計測値に対するクリック操作又はマウスオーバー操作である。
【００１４】
請求項４に記載の発明は、請求項１から３のいずれか一項に記載の画像処理装置において、前記表示制御手段は、前記医用画像に対して算出された計測値又は前記医用画像に係る患者に関する情報に応じて、前記計測線を非表示とするか否か、又は、前記計測線を非表示とするまでの前記所定時間を変更する。
【００１５】
請求項５に記載の発明は、請求項１から４のいずれか一項に記載の画像処理装置において、前記表示制御手段は、前記計測値が所定の範囲内である場合に、前記表示手段に警告を表示させる。
【００１６】
請求項６に記載の発明は、請求項５に記載の画像処理装置において、前記警告の表示は、警告メッセージの表示である。
【００１７】
請求項７に記載の発明は、請求項５に記載の画像処理装置において、前記表示制御手段は、さらに、前記計測値を前記表示手段に表示させ、前記警告の表示は、前記表示手段に表示された計測線又は計測値の色の変更である。
【００１８】
請求項８に記載の発明は、請求項１から７のいずれか一項に記載の画像処理装置において、前記医用画像は、胸部画像であり、前記計測値は、心胸郭比である。
【００１９】
請求項９に記載の発明は、コンピューターを、表示手段に表示された医用画像上に計測線を表示させる手段、当該計測線の位置に基づいて計測値を算出する手段、前記医用画像上に前記計測線が表示されてから所定時間が経過した後に、当該計測線を非表示とする手段、として機能させるためのプログラムである。
【発明の効果】
【００２０】
本発明によれば、医用画像上に計測の根拠となる計測線を提示しつつ、スムーズに他の読影目的のための画像表示に移行することができる。
【図面の簡単な説明】
【００２１】
【図１】医用画像表示システムのシステム構成図である。
【図２】読影端末の記憶部に記憶されている設定情報の例である。
【図３】自動心胸郭比設定画面の例である。
【図４】個別適用条件設定画面の例である。
【図５】読影端末により実行される画像計測処理を示すフローチャートである。
【図６】読影端末により実行される画像計測処理を示すフローチャートである。
【図７】計測線及び計測値が表示された状態の読影画面の例である。
【図８】適用条件取得処理を示すフローチャートである。
【図９】計測値に応じた設定処理を示すフローチャートである。
【図１０】警告画面の例である。
【図１１】計測線が非表示とされた状態の読影画面の例である。
【発明を実施するための形態】
【００２２】
以下、本発明の一実施の形態について説明する。なお、本発明は、図示例に限定されるものではない。
【００２３】
図１に、医用画像表示システム１００のシステム構成例を示す。
図１に示すように、医用画像表示システム１００は、画像管理サーバー１０と、画像処理装置としての読影端末２０と、から構成され、各装置は、ＬＡＮ（Local Area Network）やＷＡＮ（Wide Area Network）等の通信回線からなる通信ネットワークＮを介してデータ送受信可能に接続されている。医用画像表示システム１００を構成する各装置は、ＤＩＣＯＭ（Digital Image and Communications in Medicine）規格に準じており、各装置間の通信は、ＤＩＣＯＭに則って行われる。なお、読影端末２０の台数は、特に限定されない。
【００２４】
画像管理サーバー１０は、ＣＴ（Computed Tomography）装置、ＭＲＩ（Magnetic Resonance Imaging）装置、ＣＲ（Computed Radiography）装置等の各種モダリティー（撮影装置）により生成された医用画像の画像データのファイル（画像ファイル）を蓄積記憶・管理するコンピューター装置である。
画像管理サーバー１０は、制御部１１、通信部１２、ＲＡＭ１３、記憶部１４等を備えて構成され、各部はバス１５により接続されている。
【００２５】
制御部１１は、ＣＰＵ（Central Processing Unit）等により構成され、画像管理サーバー１０の各部の処理動作を統括的に制御する。具体的には、制御部１１は、記憶部１４に記憶されているシステムプログラムや各種処理プログラムを読み出し、ＲＡＭ１３内に形成されたワークエリアに展開し、当該プログラムとの協働により各種処理を行う。
【００２６】
通信部１２は、読影端末２０等の外部装置との間でデータの送受信を行うインターフェースであり、通信ネットワークＮに接続された各装置とデータの送受信を行う。
ＲＡＭ１３は、制御部１１により実行制御される各種処理において、記憶部１４から読み出された各種プログラム、入力若しくは出力データ、及びパラメーター等を一時的に格納するワークエリアを形成する。
【００２７】
記憶部１４は、ハードディスクや不揮発性の半導体メモリー等により構成される記憶装置である。記憶部１４は、制御部１１で実行されるシステムプログラムや各種処理プログラム、これらのプログラムの実行に必要なデータを記憶する。
【００２８】
また、記憶部１４には、医用画像の画像ファイルが記憶されている。
医用画像は、ＤＩＣＯＭ規格に則ったＤＩＣＯＭファイル形式で保存されている。ＤＩＣＯＭファイルは、画像部とヘッダー部とから構成される。画像部には医用画像の実データ、ヘッダー部には当該医用画像に関する付帯情報が書き込まれている。
【００２９】
付帯情報には、患者情報、検査情報等が含まれている。
患者情報には、患者を識別するための患者識別情報（例えば、患者ＩＤ）、患者の氏名、性別、生年月日等の患者に関する各種情報が含まれる。
検査情報には、検査を識別するための検査識別情報（例えば、検査ＩＤ）、検査日時、担当医師等の検査に関する各種情報が含まれる。
【００３０】
制御部１１は、読影端末２０からの検索要求に応じて、読影端末２０から送信される条件に合致した医用画像を記憶部１４から検索して、条件に合致した医用画像のリストを読影端末２０に送信する。また、制御部１１は、読影端末２０から取得要求のあった医用画像を記憶部１４から読み出して、読影端末２０に送信する。
【００３１】
読影端末２０は、画像管理サーバー１０に蓄積記憶されている医用画像を取得して、医師の読影用に表示するためのコンピューター装置である。
読影端末２０は、制御部２１、操作部２２、表示部２３、通信部２４、ＲＡＭ２５、記憶部２６等を備えて構成され、各部はバス２７により接続されている。
【００３２】
制御部２１は、ＣＰＵ等により構成され、読影端末２０の各部の処理動作を統括的に制御する。具体的には、制御部２１は、記憶部２６に記憶されているシステムプログラムや各種処理プログラムを読み出し、ＲＡＭ２５内に形成されたワークエリアに展開し、当該プログラムとの協働により各種処理を行う。
【００３３】
操作部２２は、カーソルキー、文字・数字入力キー、及び各種機能キー等を備えたキーボードと、マウス等のポインティングデバイスを備えて構成され、キーボードに対するキー操作やマウス操作により入力された指示信号を制御部２１に出力する。操作部２２は、ユーザーによる各種操作を受け付ける。
表示部２３は、ＬＣＤ（Liquid Crystal Display）等のモニターにより構成され、制御部２１から入力される表示信号の指示に従って、各種画面や医用画像等を表示する。
【００３４】
通信部２４は、画像管理サーバー１０等の外部装置との間でデータの送受信を行うインターフェースであり、通信ネットワークＮに接続された各装置とデータの送受信を行う。
ＲＡＭ２５は、制御部２１により実行制御される各種処理において、記憶部２６から読み出された各種プログラム、入力若しくは出力データ、及びパラメーター等を一時的に格納するワークエリアを形成する。
【００３５】
記憶部２６は、ハードディスクや不揮発性の半導体メモリー等により構成される記憶装置である。記憶部２６は、制御部２１で実行されるシステムプログラムや各種処理プログラム、これらのプログラムの実行に必要なデータを記憶する。
【００３６】
また、記憶部２６には、各種設定情報が記憶されている。
図２に、記憶部２６に記憶されている設定情報の例を示す。設定情報には、自動計測情報（ＯＮ／ＯＦＦ）、計測線自動非表示情報（ＯＮ／ＯＦＦ）、共通適用条件、個別適用条件、再表示操作情報が含まれる。
【００３７】
自動計測情報は、自動計測を行うか否かを示す情報である。自動計測とは、医用画像から計測対象の部位を検出し、計測線の描画位置を算出し、医用画像上に計測線を表示させ、計測線の位置に基づいて計測値を算出する機能をいう。計測線とは、診断に用いる距離、面積、角度、比率等の数値を計測するために医用画像上に描画される補助線をいう。自動計測情報が「ＯＮ」である場合には、制御部２１は、自動計測を行う。自動計測情報が「ＯＦＦ」である場合には、制御部２１は、自動計測は行わず、医用画像上のユーザーが手動で指定した位置に計測線を表示させ、計測線の位置に基づいて計測値を算出する。
【００３８】
計測線自動非表示情報は、医用画像上に表示された計測線を、表示開始から所定時間が経過した後に非表示とするか否かを示す情報である。制御部２１は、計測線自動非表示情報が「ＯＮ」である場合には、所定時間経過後に計測線を非表示とし、計測線自動非表示情報が「ＯＦＦ」である場合には、所定時間経過後も医用画像上の計測線の表示を継続する。
【００３９】
共通適用条件は、個別適用条件に該当しない場合に適用される条件である。
共通適用条件には、基準非表示秒数、要注意範囲、動作内容（常時表示／一定秒後に非表示）、要注意非表示秒数、警告表示情報（ＯＮ／ＯＦＦ）、警告色が含まれる。
基準非表示秒数は、共通適用条件が適用される場合に、計測線が表示されてから非表示とされるまでの基準の時間である。
要注意範囲は、共通適用条件が適用される場合に、例外的な動作を行う計測値の範囲である。ここで、例外的とは、基準非表示秒数の経過後に計測線を非表示とする制御ではないことをいう。なお、所定の基準により定められた正常範囲外を要注意範囲として定めてもよいし、正常範囲内ではあるが、異常範囲との境界近傍を要注意範囲として定めてもよい。
動作内容は、共通適用条件が適用される場合に、計測値が要注意範囲内であるときに実行される動作を示す情報である。動作内容として、「常時表示」又は「一定秒後に非表示」が設定されている。要注意非表示秒数は、共通適用条件が適用され、計測値が要注意範囲内である場合に、動作内容として「一定秒後に非表示」が設定されているときの、計測線が表示されてから非表示とされるまでの時間である。「常時表示」が設定されている場合には、制御部２１は、計測線を常時表示させる。「一定秒後に非表示」が設定されている場合には、制御部２１は、計測線が表示されてから「要注意非表示秒数」が経過した後、計測線を非表示とする。
警告表示情報は、共通適用条件が適用される場合に、計測値が要注意範囲内であるときに、警告表示を行うか否かを示す情報である。制御部２１は、警告表示情報が「ＯＮ」である場合には、警告表示を行い、警告表示情報が「ＯＦＦ」である場合には、警告表示を行わない。
警告色は、警告表示を行う際の計測線・計測値の色として指定された色を示す情報である。
【００４０】
個別適用条件は、患者条件ごとに設定可能な条件であり、各患者条件に対して、基準非表示秒数、要注意範囲、動作内容（常時表示／一定秒後に非表示）、要注意非表示秒数、警告表示情報（ＯＮ／ＯＦＦ）、警告色が対応付けられている。
患者条件は、個別適用条件を適用する患者を特定するための条件である。患者条件は、患者の年齢、性別等でグループ分けした条件（例えば、２０代男性等）でもよいし、患者個人を指す患者ＩＤ等を含む条件であってもよい。
基準非表示秒数は、個別適用条件が適用される場合に、計測線が表示されてから非表示とされるまでの基準の時間である。
要注意範囲は、個別適用条件が適用される場合に、例外的な動作を行う計測値の範囲である。
動作内容は、個別適用条件が適用される場合に、計測値が要注意範囲内であるときに実行される動作を示す情報である。動作内容として、「常時表示」又は「一定秒後に非表示」が設定されている。要注意非表示秒数は、個別適用条件が適用され、計測値が要注意範囲内である場合に、動作内容として「一定秒後に非表示」が設定されているときの、計測線が表示されてから非表示とされるまでの時間である。
警告表示情報は、個別適用条件が適用される場合に、計測値が要注意範囲内であるときに、警告表示を行うか否かを示す情報である。
警告色は、警告表示を行う際の計測線・計測値の色として指定された色を示す情報である。
【００４１】
再表示操作情報は、計測線が非表示とされている状態で、どのような操作を行うと、計測線が再表示されるかを示す情報である。再表示操作情報として、例えば、計測値のダブルクリック、計測値のシングルクリック、計測値のマウスオーバー等の操作が設定されている。
【００４２】
制御部２１は、画像管理サーバー１０の記憶部１４に記憶されている医用画像を取得し、取得した医用画像を表示部２３に表示させる。
制御部２１は、表示部２３に表示された医用画像上に計測線を表示させる。すなわち、制御部２１は、表示制御手段として機能する。計測線の位置の指定は、自動計測機能により自動で行われてもよいし、手動で行われてもよい。
【００４３】
制御部２１は、医用画像上の計測線の位置に基づいて計測値を算出する。すなわち、制御部２１は、計測手段として機能する。計測値の算出方法は、計測機能（距離計測、角度計測、心胸郭比計測等）ごとに、予め定められている。制御部２１は、計測値として、距離、面積、角度、比率等の値を算出する。
制御部２１は、計測値を表示部２３に表示させる。
【００４４】
制御部２１は、医用画像上に計測線が表示されてから所定時間が経過した後に、当該計測線を非表示とする。具体的には、制御部２１は、所定時間をカウントする非表示タイマーを有し、計測線が表示された時に非表示タイマーのカウントを開始し、非表示タイマーが所定時間を経過した場合に、計測線を非表示とする。
なお、所定時間が経過する前に計測線が移動された場合、又は、計測線が再表示された場合には、制御部２１は、非表示タイマーをリセットし、新たに非表示タイマーのカウントを開始する。
【００４５】
制御部２１は、計測線が非表示とされている状態で、操作部２２から所定の操作を受け付けた場合に、計測線を再表示させる。所定の操作は、例えば、表示部２３に表示された計測値に対するクリック操作又はマウスオーバー操作である。なお、所定の操作は、記憶部２６の再表示操作情報に定められている。
【００４６】
制御部２１は、医用画像に対して算出された計測値又は医用画像に係る患者に関する情報（患者情報）に応じて、計測線を非表示とするか否か、又は、計測線を非表示とするまでの所定時間を変更する。
【００４７】
制御部２１は、計測値が所定の範囲内である場合に、表示部２３に警告を表示させる。具体的には、制御部２１は、計測値が適用条件（共通適用条件又は個別適用条件）の要注意範囲内である場合に、警告メッセージを表示させる。また、制御部２１は、計測値が適用条件の要注意範囲内である場合に、表示部２３に表示された計測線又は計測値の色の変更することで、警告を通知する。
【００４８】
次に、読影端末２０における各種設定情報の設定方法について説明する。ここでは、心胸郭比計測を例にして説明する。
【００４９】
図３に、読影端末２０の表示部２３に表示される自動心胸郭比設定画面２３１の例を示す。
自動心胸郭比設定画面２３１には、計測線の自動非表示を行うか否かを指定するためのチェックボックスＣ１、共通適用条件設定領域３０、個別適用条件表示領域４０、再表示操作設定領域５０が含まれる。
【００５０】
ユーザーが操作部２２からの操作により、チェックボックスＣ１にチェックを入れると、制御部２１は、記憶部２６の計測線自動非表示情報を「ＯＮ」に設定する。
【００５１】
共通適用条件設定領域３０は、共通適用条件を設定するための領域である。共通適用条件設定領域３０には、基準非表示秒数設定領域３１、要注意範囲設定領域３２，３３、動作内容選択ラジオボタンＲ１，Ｒ２、要注意非表示秒数設定領域３４、警告表示を行うか否かを指定するためのチェックボックスＣ２、警告色設定領域３５が含まれる。
【００５２】
基準非表示秒数設定領域３１は、共通適用条件の基準非表示秒数を指定するための領域である。
要注意範囲設定領域３２，３３は、それぞれ、共通適用条件の要注意範囲として、心胸郭比の下限値及び上限値を指定するための領域である。
動作内容選択ラジオボタンＲ１，Ｒ２は、共通適用条件において、計測値（心胸郭比）が要注意範囲内である場合に実行される動作（「常時表示」又は「一定秒後に非表示」）を選択するためのボタンである。
要注意非表示秒数設定領域３４は、共通適用条件の要注意非表示秒数を指定するための領域である。
【００５３】
ユーザーが操作部２２からの操作により、チェックボックスＣ２にチェックを入れると、制御部２１は、記憶部２６の共通適用条件の警告表示情報を「ＯＮ」に設定する。
警告色設定領域３５は、共通適用条件の警告色を指定するための領域である。例えば、警告色設定領域３５をクリックすると、複数色のカラーパレットが表示され、その中から警告色を指定可能となっている。
【００５４】
制御部２１は、共通適用条件設定領域３０において設定された内容を、共通適用条件として記憶部２６に記憶させる。
【００５５】
個別適用条件表示領域４０には、個別適用条件リスト４１、追加ボタンＢ１が含まれる。
個別適用条件リスト４１には、既に設定されている個別適用条件のリストが表示される。図３では、個別適用条件リスト４１上で、個別適用条件ごとに、患者条件に対応する基準非表示秒数、要注意範囲の動作（常時表示／○○秒で非表示、要注意範囲）が表示されている。
追加ボタンＢ１は、新たな患者条件に対応する個別適用条件を追加する際に押下されるボタンである。
【００５６】
再表示操作設定領域５０には、再表示を指示する際の操作を選択するための操作選択ラジオボタンＲ３，Ｒ４，Ｒ５が含まれる。ユーザーが操作部２２からの操作により、操作選択ラジオボタンＲ３を選択すると、制御部２１は、記憶部２６の再表示操作情報を「計測値のダブルクリック」に設定する。ユーザーが操作部２２からの操作により、操作選択ラジオボタンＲ４を選択すると、制御部２１は、記憶部２６の再表示操作情報を「計測値のシングルクリック」に設定する。ユーザーが操作部２２からの操作により、操作選択ラジオボタンＲ５を選択すると、制御部２１は、記憶部２６の再表示操作情報を「計測値のマウスオーバー」に設定する。
【００５７】
自動心胸郭比設定画面２３１において、ユーザーが操作部２２からの操作により、個別適用条件表示領域４０の追加ボタンＢ１を押下すると、表示部２３に、図４に示す個別適用条件設定画面２３２が表示される。
個別適用条件設定画面２３２は、個別適用条件を設定するための画面である。
個別適用条件設定画面２３２には、患者条件設定領域６０、基準非表示秒数設定領域７１、要注意範囲設定領域７２，７３、動作内容選択ラジオボタンＲ１４，Ｒ１５、要注意非表示秒数設定領域７４、警告表示を行うか否かを指定するためのチェックボックスＣ１１、警告色設定領域７５が含まれる。
【００５８】
患者条件設定領域６０は、患者条件を指定するための領域である。患者条件設定領域６０には、患者条件名表示領域６１、年齢条件設定領域６２，６３、性別選択ラジオボタンＲ１１，Ｒ１２，Ｒ１３、患者ＩＤ設定領域６４が含まれる。
【００５９】
患者条件名表示領域６１は、患者条件の名称を表示するための領域である。患者条件の名称として、例えば、年齢の範囲、性別、又はそれらの組み合わせ等のグループ名、患者個人名等を用いる。
年齢条件設定領域６２，６３は、それぞれ、個別適用条件を適用する患者の年齢の下限値及び上限値を指定するための領域である。
性別選択ラジオボタンＲ１１，Ｒ１２，Ｒ１３は、個別適用条件を適用する患者の性別を選択するためのボタンである。
患者ＩＤ設定領域６４は、個別適用条件を適用する患者の患者ＩＤを指定するための領域である。
【００６０】
基準非表示秒数設定領域７１は、個別適用条件の基準非表示秒数を指定するための領域である。
要注意範囲設定領域７２，７３は、それぞれ、個別適用条件の要注意範囲として、心胸郭比の下限値及び上限値を指定するための領域である。
動作内容選択ラジオボタンＲ１４，Ｒ１５は、個別適用条件において、計測値（心胸郭比）が要注意範囲内である場合に実行される動作（「常時表示」又は「一定秒後に非表示」）を選択するためのボタンである。
要注意非表示秒数設定領域７４は、個別適用条件の要注意非表示秒数を指定するための領域である。
【００６１】
チェックボックスＣ１１は、個別適用条件の警告表示情報の「ＯＮ」又は「ＯＦＦ」を設定するためのものである。
警告色設定領域７５は、個別適用条件の警告色を指定するための領域である。
【００６２】
制御部２１は、個別適用条件設定画面２３２において設定された内容を、個別適用条件として記憶部２６に記憶させる。
【００６３】
次に、本実施の形態の動作について説明する。
図５及び図６は、読影端末２０により実行される画像計測処理を示すフローチャートである。この処理は、制御部２１と記憶部２６に記憶されているプログラムとの協働によるソフトウェア処理によって実現される。
【００６４】
まず、ユーザーが操作部２２からの操作により、画像管理サーバー１０にて管理されている医用画像の中から読影対象とする医用画像を選択すると、制御部２１は、選択された医用画像を画像管理サーバー１０から取得し（ステップＳ１）、取得された医用画像を表示部２３に表示させる（ステップＳ２）。
【００６５】
次に、制御部２１は、記憶部２６に記憶されている自動計測情報を読み出し、自動計測を行うか否かを判断する（ステップＳ３）。
【００６６】
自動計測を行う場合、すなわち、自動計測情報が「ＯＮ」である場合には（ステップＳ３；ＯＮ）、制御部２１は、医用画像から計測対象部位を検出する（ステップＳ４）。例えば、胸部画像の場合、制御部２１は、胸部画像の水平方向及び垂直方向それぞれの方向における信号値のプロファイルを作成し、エッジを抽出することにより、心臓領域及び胸郭領域を検出する。
【００６７】
次に、制御部２１は、検出された計測対象部位に基づいて、計測線を描画すべき位置を算出する（ステップＳ５）。例えば、胸部画像の場合、制御部２１は、心臓の左端、心臓の右端、胸郭の左端、胸郭の右端の位置を検出し、胸郭幅の中心位置を正中線として検出する。そして、制御部２１は、心臓の左端、心臓の右端、胸郭の左端、胸郭の右端、正中線を示す計測線の位置を算出する。
【００６８】
次に、制御部２１は、算出された計測線の位置に基づいて、計測値を算出する（ステップＳ６）。胸部画像の場合、制御部２１は、計測値として、心臓幅、胸郭幅、心胸郭比を算出する。心臓幅は、心臓の左端を示す計測線と心臓の右端を示す計測線との距離である。胸郭幅は、胸郭の左端を示す計測線と胸郭の右端を示す計測線との距離である。心胸郭比とは、胸郭幅に対する心臓幅の割合をいい、次式によって求められる。
心胸郭比＝（心臓幅／胸郭幅）×１００（％）
【００６９】
次に、制御部２１は、表示部２３に表示されている医用画像上に計測線を表示させるとともに、表示部２３に計測値を表示させる（ステップＳ７）。
【００７０】
図７に、表示部２３に表示される読影画面２３３の例を示す。
読影画面２３３には、胸部画像（医用画像）が表示されており、胸部画像上に計測線Ｌ１〜Ｌ５及び計測値８０が表示されている。計測線Ｌ１は、心臓の右端（人体において）を示す計測線である。計測線Ｌ２は、心臓の左端を示す計測線である。計測線Ｌ３は、胸郭の右端を示す計測線である。計測線Ｌ４は、胸郭の左端を示す計測線である。計測線Ｌ５は、胸郭幅の中心位置を示す正中線である。また、図７では、計測値８０として、心臓幅、胸郭幅、心胸郭比が表示されている。
【００７１】
ステップＳ３において、自動計測を行わない場合、すなわち、自動計測情報が「ＯＦＦ」である場合には（ステップＳ３；ＯＦＦ）、制御部２１は、操作部２２から計測線の描画操作があったか否かを判断する（ステップＳ８）。具体的には、制御部２１は、操作部２２からの操作により、計測機能（距離計測、角度計測、心胸郭比計測等）のいずれかが選択され、選択された機能に応じた計測線の位置が指定されたか否かを判断する。
操作部２２から計測線の描画操作があった場合には（ステップＳ８；ＹＥＳ）、制御部２１は、表示部２３に表示されている医用画像上のユーザーが指定した位置に、計測線を表示させる（ステップＳ９）。
【００７２】
次に、制御部２１は、手動で指定された計測線の位置に基づいて、計測値を算出する（ステップＳ１０）。
次に、制御部２１は、表示部２３に計測値を表示させる（ステップＳ１１）。
計測線の位置が手動で指定された場合にも、図７と同様、医用画像上に計測線が表示されるとともに、算出された計測値が表示される。
【００７３】
ステップＳ７又はステップＳ１１の後、制御部２１は、記憶部２６に記憶されている計測線自動非表示情報を読み出し、計測線の自動非表示を行うか否かを判断する（ステップＳ１２）。
【００７４】
ステップＳ１２において、計測線の自動非表示を行わない場合、すなわち、計測線自動非表示情報が「ＯＦＦ」である場合（ステップＳ１２；ＯＦＦ）、又は、ステップＳ８において、操作部２２から計測線の描画操作がなかった場合には（ステップＳ８；ＮＯ）、制御部２１は、操作部２２から読影の終了が指示されたか否かを判断する（ステップＳ１３）。
読影の終了が指示されない場合には（ステップＳ１３；ＮＯ）、ステップＳ８に戻り、処理が繰り返される。
【００７５】
ステップＳ１２において、計測線の自動非表示を行う場合、すなわち、計測線自動非表示情報が「ＯＮ」である場合には（ステップＳ１２；ＯＮ）、制御部２１は、適用条件取得処理を行う（ステップＳ１４）。
【００７６】
ここで、図８を参照して、適用条件取得処理について説明する。
制御部２１は、読影対象の医用画像の患者情報を取得する（ステップＳ４１）。具体的には、制御部２１は、医用画像の画像ファイルのヘッダー部から、当該医用画像に係る患者情報を取得する。
【００７７】
次に、制御部２１は、読影対象の医用画像の患者情報に基づいて、医用画像に係る患者が個別適用条件に該当するか否かを判断する（ステップＳ４２）。具体的には、制御部２１は、記憶部２６に記憶されている個別適用条件の中で、患者条件が読影対象の医用画像の患者情報に合致するものがあるか否かを判断する。医用画像の患者情報と各個別適用条件の患者条件とを比較する際に、各個別適用条件の設定順に判断していくこととしてもよいし、各個別適用条件に対して優先順位を付けておき、その優先順位に従って判断していくこととしてもよい。
医用画像に係る患者が個別適用条件に該当する場合には（ステップＳ４２；ＹＥＳ）、制御部２１は、記憶部２６から該当する個別適用条件を取得する（ステップＳ４３）。
【００７８】
ステップＳ４２において、医用画像に係る患者が個別適用条件に該当しない場合には（ステップＳ４２；ＮＯ）、制御部２１は、記憶部２６から共通適用条件を取得する（ステップＳ４４）。
ステップＳ４３又はステップＳ４４の後、適用条件取得処理が終了する。
【００７９】
図５に戻り、ステップＳ１４の後、制御部２１は、計測値に応じた設定処理を行う（ステップＳ１５）。
【００８０】
ここで、図９を参照して、計測値に応じた設定処理について説明する。
制御部２１は、算出された計測値が適用条件の要注意範囲内であるか否かを判断する（ステップＳ５１）。具体的には、制御部２１は、計測値と、適用条件（適用条件取得処理のステップＳ４３で取得された個別適用条件、又は、ステップＳ４４で取得された共通適用条件）に含まれる要注意範囲と、を比較して、判断する。
【００８１】
計測値が適用条件の要注意範囲内である場合には（ステップＳ５１；ＹＥＳ）、制御部２１は、適用条件において要注意範囲内である場合の動作内容が「常時表示」であるか否かを判断する（ステップＳ５２）。
【００８２】
要注意範囲内である場合の動作内容が「常時表示」である場合には（ステップＳ５２；ＹＥＳ）、制御部２１は、計測線の表示方法を「常時表示」に設定する（ステップＳ５３）。
ステップＳ５２において、要注意範囲内である場合の動作内容が「常時表示」でない場合（ステップＳ５２；ＮＯ）、すなわち、要注意範囲内である場合の動作内容が「一定秒後に非表示」である場合には、制御部２１は、適用条件に含まれる「要注意非表示秒数」で非表示とすることに設定する（ステップＳ５４）。
【００８３】
ステップＳ５３又はステップＳ５４の後、制御部２１は、適用条件に含まれる警告表示情報に基づいて、警告表示を行うか否かを判断する（ステップＳ５５）。
警告表示情報が「ＯＮ」である場合には（ステップＳ５５；ＯＮ）、制御部２１は、警告表示を行う（ステップＳ５６）。具体的には、制御部２１は、表示部２３に警告メッセージを表示させる。
次に、制御部２１は、表示部２３に表示されている計測線及び計測値の色を、適用条件に含まれる警告色に変更する（ステップＳ５７）。
【００８４】
図１０に、表示部２３に表示される警告画面２３４の例を示す。
警告画面２３４には、警告メッセージＭ１が表示されるとともに、図７との比較において、計測線Ｌ１〜Ｌ５及び計測値８０の色が警告色に変更される。警告色としては、目立ちやすい色を選択しておくことが望ましい。
なお、図１０では、図７との比較において、計測値８０のフォントの種類を変更することで、色の変更を表している。
【００８５】
ステップＳ５１において、計測値が適用条件の要注意範囲内でない場合には（ステップＳ５１；ＮＯ）、制御部２１は、適用条件に含まれる「基準非表示秒数」で非表示とすることに設定する（ステップＳ５８）。
なお、例えば、心胸郭比計測において、計測値（心胸郭比）が要注意範囲の上限値を超える場合に、別途警告を表示させることとしてもよい。
【００８６】
ステップＳ５５において、警告表示情報が「ＯＦＦ」である場合（ステップＳ５５；ＯＦＦ）、ステップＳ５７又はステップＳ５８の後、計測値に応じた設定処理が終了する。
【００８７】
ステップＳ１５の後、図６に移り、制御部２１は、「常時表示」に設定されているか否かを判断する（ステップＳ１６）。具体的には、制御部２１は、計測値に応じた設定処理のステップＳ５３で「常時表示」に設定されたか否かを判断する。
「常時表示」に設定されていない場合には（ステップＳ１６；ＮＯ）、制御部２１は、非表示タイマーのカウントを開始する（ステップＳ１７）。
【００８８】
次に、制御部２１は、非表示タイマーを参照して、設定秒数が経過したか否かを判断する（ステップＳ１８）。具体的には、制御部２１は、計測値に応じた設定処理のステップＳ５８で設定された「基準非表示秒数」、又は、計測値に応じた設定処理のステップＳ５４で設定された「要注意非表示秒数」が経過したか否かを判断する。
非表示タイマーにおいて設定秒数が経過した場合には（ステップＳ１８；ＹＥＳ）、制御部２１は、医用画像上に表示されている計測線を非表示とする（ステップＳ１９）。
【００８９】
図１１に、計測線が非表示とされた状態の読影画面２３５の例を示す。読影画面２３５では、図７で表示されていた計測線Ｌ１〜Ｌ５が非表示となっている。
【００９０】
次に、制御部２１は、操作部２２から計測線の再表示操作があったか否かを判断する（ステップＳ２０）。具体的には、制御部２１は、記憶部２６の再表示操作情報を参照して、計測線の再表示を指示する操作が行われたか否かを判断する。例えば、ユーザーは、操作部２２の操作により、図１１に示す読影画面２３５の計測値８０に対して、マウスポインターを重ねるように移動させる操作（マウスオーバー操作）や、クリック操作を行う。
【００９１】
計測線の再表示操作がない場合には（ステップＳ２０；ＮＯ）、制御部２１は、操作部２２から読影の終了が指示されたか否かを判断する（ステップＳ２１）。
読影の終了が指示されない場合には（ステップＳ２１；ＮＯ）、ステップＳ２０に戻り、処理が繰り返される。
【００９２】
ステップＳ２０において、計測線の再表示操作があった場合には（ステップＳ２０；ＹＥＳ）、制御部２１は、医用画像上に計測線を再表示させ（ステップＳ２２）、非表示タイマーをリセットし（ステップＳ２３）、ステップＳ１８に戻る。つまり、計測線を再表示させた場合には、非表示とするまでの時間を測り直す。
【００９３】
ステップＳ１８で、非表示タイマーにおいて設定秒数が経過していない場合には（ステップＳ１８；ＮＯ）、制御部２１は、操作部２２から計測線の移動操作があったか否かを判断する（ステップＳ２４）。ユーザーが医用画像上の計測線を目視で確認し、医用画像に対して計測線がずれている場合等には、計測線の位置を微調整する。
【００９４】
計測線の移動操作がない場合には（ステップＳ２４；ＮＯ）、制御部２１は、操作部２２から読影の終了が指示されたか否かを判断する（ステップＳ２５）。
読影の終了が指示されない場合には（ステップＳ２５；ＮＯ）、ステップＳ１８に戻り、処理が繰り返される。
【００９５】
ステップＳ２４において、計測線の移動操作があった場合には（ステップＳ２４；ＹＥＳ）、制御部２１は、移動操作に応じて、表示部２３に表示されている医用画像上で計測線を移動させ（ステップＳ２６）、非表示タイマーをリセットする（ステップＳ２７）。
【００９６】
次に、制御部２１は、移動された計測線の位置に基づいて、計測値を算出し直す（ステップＳ２８）。
次に、制御部２１は、表示部２３に計測値を表示させ（ステップＳ２９）、ステップＳ１５に戻る。
【００９７】
ステップＳ１６において、「常時表示」に設定されている場合には（ステップＳ１６；ＹＥＳ）、制御部２１は、操作部２２から計測線の移動操作があったか否かを判断する（ステップＳ３０）。
【００９８】
計測線の移動操作がない場合には（ステップＳ３０；ＮＯ）、制御部２１は、操作部２２から読影の終了が指示されたか否かを判断する（ステップＳ３１）。
読影の終了が指示されない場合には（ステップＳ３１；ＮＯ）、ステップＳ３０に戻り、処理が繰り返される。
【００９９】
ステップＳ３０において、計測線の移動操作があった場合には（ステップＳ３０；ＹＥＳ）、ステップＳ２６に移行する。
【０１００】
ステップＳ１３において、読影の終了が指示された場合（ステップＳ１３；ＹＥＳ）、ステップＳ２１において、読影の終了が指示された場合（ステップＳ２１；ＹＥＳ）、ステップＳ２５において、読影の終了が指示された場合（ステップＳ２５；ＹＥＳ）、又は、ステップＳ３１において、読影の終了が指示された場合には（ステップＳ３１；ＹＥＳ）、画像計測処理が終了する。
【０１０１】
画像計測処理では、ステップＳ１７で非表示タイマーのカウントを開始することとしたが、非表示タイマーにより測定される時間は、計測線が表示されてからの時間と略一致しており、計測線が表示されてからの時間とみなすことができるものとする。あるいは、実際に、計測線の表示が開始された時に、非表示タイマーのカウントを開始することとしてもよい。
【０１０２】
また、ステップＳ２４又はステップＳ３０において、計測線の移動操作があった場合には（ステップＳ２４；ＹＥＳ、ステップＳ３０；ＹＥＳ）、ステップＳ２６〜ステップＳ２９の処理を経て計測値に応じた設定処理を行い（ステップＳ１５）、ステップＳ１６において、「常時表示」に設定されていない場合に（ステップＳ１６；ＮＯ）、非表示タイマーのカウントを開始するので（ステップＳ１７）、計測線が移動された場合には、計測線が移動されてからの時間が経過した後に、計測線を非表示とすることになる。
【０１０３】
以上説明したように、本実施の形態によれば、医用画像上に計測線が表示されてから所定時間が経過した後に、当該計測線を非表示とすることで、医用画像上に計測の根拠となる計測線を提示しつつ、スムーズに他の読影目的のための画像表示に移行することができる。医用画像上から計測線が消えるので、ユーザーは計測線に妨げられることなく、医用画像を読影することができる。
【０１０４】
また、一旦計測線を非表示とした後でも、ユーザーが再度計測線の位置を確認したい場合には、所定の操作に応じて計測線を再表示させることができる。
【０１０５】
また、医用画像に対して算出された計測値に応じて、計測線を非表示とするか否かを変更するので、例えば、計測値が異常と考えられる場合に、計測線の表示を継続することができる。
また、医用画像に対して算出された計測値に応じて、計測線を非表示とするまでの所定時間を変更するので、要注意非表示秒数を基準非表示秒数より長く設定しておくことで、計測値が要注意範囲内の医用画像に対して、ユーザーに計測線の位置を確認するための時間をより多く与えることができる。
具体的には、心胸郭比が心肥大等の判断をする際の閾値を超えるか否かの微妙な値である場合、ユーザーは、医用画像上の計測線をじっくり確認したいと考えられる。そのため、計測線を表示し続けたり、計測線が非表示となるまでの時間を長くしたりすることで、診断を確実に行わせることができる。
【０１０６】
また、医用画像に係る患者情報に応じて、計測線を非表示とするか否かを変更するので、例えば、注意すべき患者の医用画像に対しては、計測線の表示を継続することができる。
また、医用画像に係る患者情報に応じて、計測線を非表示とするまでの所定時間を変更するので、例えば、注意すべき患者の医用画像に対して、ユーザーに計測線の位置を確認するための時間をより多く与えることができる。
【０１０７】
また、計測値が所定の範囲内（要注意範囲内）である場合に、警告を表示させることで、ユーザーに注意を喚起し、見逃しを防ぐことができる。
【０１０８】
なお、上記実施の形態における記述は、本発明に係る画像処理装置の例であり、これに限定されるものではない。装置を構成する各部の細部構成及び細部動作に関しても本発明の趣旨を逸脱することのない範囲で適宜変更可能である。
【０１０９】
例えば、共通適用条件又は個別適用条件の要注意範囲を設定する際に、計測値の範囲を複数の段階に分けて、動作内容や要注意非表示秒数を定めることとしてもよい。また、要注意範囲を設定する際に、下限値及び上限値の両方を必ず設定する必要はなく、下限値のみ、上限値のみで範囲を設定することとしてもよい。
また、共通適用条件又は個別適用条件に含まれる警告色について、計測線の色と計測値の色とを別々に設定可能としてもよい。
【０１１０】
また、読影端末２０において、複数の計測値を計測可能な場合には、計測値ごとに、図２に示したような設定情報を設定しておき、計測値に応じた設定情報を用いればよい。
【０１１１】
以上の説明では、各処理を実行するためのプログラムを格納したコンピューター読み取り可能な媒体としてハードディスクや不揮発性の半導体メモリーを使用した例を公開したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１２】
１０  画像管理サーバー
１１  制御部
１２  通信部
１４  記憶部
２０  読影端末
２１  制御部
２２  操作部
２３  表示部
２４  通信部
２６  記憶部
３０  共通適用条件設定領域
４０  個別適用条件表示領域
５０  再表示操作設定領域
６０  患者条件設定領域
１００  医用画像表示システム
２３１  自動心胸郭比設定画面
２３２  個別適用条件設定画面
２３３  読影画面
２３４  警告画面
２３５  読影画面
Ｌ１〜Ｌ５  計測線
Ｍ１  警告メッセージ
Ｎ  通信ネットワーク
【図１】
2019150263.tif 000003
【図２】
2019150263.tif 000004
【図３】
2019150263.tif 000005
【図４】
2019150263.tif 000006
【図５】
2019150263.tif 000007
【図６】
2019150263.tif 000008
【図７】
2019150263.tif 000009
【図８】
2019150263.tif 000010
【図９】
2019150263.tif 000011
【図１０】
2019150263.tif 000012
【図１１】
2019150263.tif 000013